【誤訳訂正書】
【提出日】平成20年1月15日(2008.1.15)
【誤訳訂正１】
【訂正対象書類名】明細書
【訂正対象項目名】全文
【訂正方法】変更
【訂正の内容】
【書類名】明細書
【発明の名称】  挿入パイロットシンボルを使用するワイヤレス通信信号中のような通信信号中の振幅変動および干渉を減少させる方法および装置
【特許請求の範囲】
【請求項１】
基地局および基地局と通信信号を交換する複数のユーザ局を有する通信システム中で、送信通信信号の送信信号電力を減少させる方法において、
複数のチャネル上で送信するためのチャネルデータを受け取り、チャネルデータはパイロットシンボルデータを含み、
直交コードを受け取ったチャネルデータと合成し、各直交コードは少なくとも１つの共通チップ位置を有し、共通チップ位置は各直交コードに対して同じ値を有し、
直交コードと合成されたチャネルデータを送信する前に、少なくとも１つの直交コードの共通チップ位置を変更させて、複数のチャネルに対する同時送信および共通チップ位置の加算から生じる合成振幅を減少させることを含む方法。
【請求項２】
直交コードはウォルシュコードであり、共通チップ位置は各ウォルシュコードに対して同じ符号を有し、
共通チップ位置を変更させることは、直交コードを受け取ったパイロットシンボルデータと合成する前に、＋１または−１のランダム値を各ウォルシュコードに乗算することを含み、
チャネルデータを受け取ることは、複数のチャネル上で複数のユーザ局に送信するためのチャネルデータを受け取ることを含み、直交コードを合成することおよび共通チップ位置を変更させることは基地局において実行される請求項１記載の方法。
【請求項３】
共通チップ位置を変更させることは、０度と３６０度との間の位相値だけ各直交コードを変更させることを含む請求項１記載の方法。
【請求項４】
共通チップ位置を変更させることは、シリーズ＋１、−１、＋１、−１、＋１、…から選択された値により、各直交コードをシーケンシャルに乗算するが、各新規ユーザに対する各新規セットのチャネルデータに直交コードを非シーケンシャルに割り当てることを含む請求項１記載の方法。
【請求項５】
直交コードはウォルシュコードであり、共通チップ位置は各ウォルシュコード中の第１のチップであり、共通チップ位置を変更させることは、各ウォルシュコード中の第１のチップ位置を省略することを含む請求項１記載の方法。
【請求項６】
共通チップ位置を変更させることは、少なくともいくつかの直交コード中で共通チップ位置を省略することを含む請求項１記載の方法。
【請求項７】
共通チップ位置を変更させることは、少なくともいくつかの直交コード中で共通チップ位置を減衰させることを含む請求項１記載の方法。
【請求項８】
共通チップ位置を変更させることは、少なくともいくつかの直交コードのチップ位置をシフトさせることを含む請求項１記載の方法。
【請求項９】
基地局において、共通チップ位置の変更に関する情報をユーザ局に送信し、
ユーザ局において、共通チップ位置の変更を除去することをさらに含む請求項１記載の方法。
【請求項１０】
基地局および基地局と通信信号を交換する複数のユーザ局を有する通信システム中で、送信通信信号の送信信号電力を減少させる装置において、
チャネルデータはパイロットシンボルデータを含み、複数のチャネル上で送信するためのチャネルデータを受け取る手段と、
各直交コードは少なくとも１つの共通チップ位置を有し、共通チップ位置は各直交コードに対して同じ値を有し、直交コードを受け取ったチャネルデータと合成する手段と、
合成する手段に結合され、少なくとも１つの直交コードの共通チップ位置を変更させて、複数のチャネルに対する同時送信および共通チップ位置の加算から生じる合成振幅を減少させる手段とを具備する装置。
【請求項１１】
直交コードはウォルシュコードであり、共通チップ位置は各ウォルシュコードに対して同じ符号を有し、
共通チップ位置を変更させる手段は、直交コードを受け取ったパイロットシンボルデータと合成する前に、＋１または−１のランダム値を各ウォルシュコードに乗算する手段を備え、
チャネルデータを受け取る手段は、複数のチャネル上で複数のユーザ局に送信するためのチャネルデータを受け取る手段を備える請求項１０記載の装置。
【請求項１２】
共通チップ位置を変更させる手段は、０度と３６０度との間の位相値だけ、各直交コードまたは受け取ったチャネルデータと合成された各直交コードを変更させることを含む請求項１０記載の装置。
【請求項１３】
共通チップ位置を変更させる手段は、シリーズ＋１、−１、＋１、−１、＋１、…から選択された値により、各新規ユーザ局に対する各新規セットのチャネルデータをシーケンシャルに乗算するが、各新規ユーザに対する各新規セットのチャネルデータに直交コードを非シーケンシャルに割り当てる手段を備える請求項１０記載の装置。
【請求項１４】
直交コードはウォルシュコードであり、共通チップ位置は各ウォルシュコード中の第１のチップであり、共通チップ位置を変更させる手段は、各ウォルシュコード中の第１のチップ位置を省略する手段を備える請求項１０記載の装置。
【請求項１５】
共通チップ位置を変更させる手段は、少なくともいくつかの直交コード中で共通チップ位置を省略する手段を備える請求項１０記載の装置。
【請求項１６】
共通チップ位置を変更させる手段は、少なくともいくつかの直交コード中で共通チップ位置を減衰させる手段を備える請求項１０記載の装置。
【請求項１７】
共通チップ位置を変更させる手段は、少なくともいくつかの直交コードのチップ位置をシフトさせる手段を備える請求項１０記載の装置。
【請求項１８】
ユーザ局が共通チップ位置の変更を除去できるように、共通チップ位置の変更に関する情報をユーザ局に送信する手段をさらに具備する請求項１０記載の装置。
【請求項１９】
基地局および基地局と通信信号を交換する複数のユーザ局を有する通信システム中で、送信通信信号の送信信号電力を減少させる装置において、
チャネルデータはパイロットシンボルデータを含み、複数のチャネル上で送信するためのチャネルデータを受け取る入力ノードと、
各直交コードは少なくとも１つの共通チップ位置を有し、共通チップ位置は各直交コードに対して同じ値を有し、直交コードを合成する直交コード発生器と、
入力ノードおよび直交コード発生器に結合され、直交コードと合成されたチャネルデータを合成する前に、少なくとも１つの直交コードの共通チップ位置を変更させて、複数のチャネルに対する共通チップ位置の加算から生じる合成振幅を減少させる共通チップ位置変更回路とを具備する装置。
【請求項２０】
直交コードはウォルシュコードであり、共通チップ位置は各ウォルシュコードに対して同じ符号を有し、
変更回路は、直交コードを受け取ったパイロットシンボルデータと合成する前に、＋１または−１のランダム値を各ウォルシュコードに乗算する乗算器を備え、
入力ノードは、複数のチャネル上で複数のユーザ局に送信するためのチャネルデータを受け取り、コード発生器および変更回路は基地局の一部を形成する請求項１９記載の装置。
【請求項２１】
変更回路は、０度と３６０度との間の位相値を、各直交コードまたは受け取ったチャネルデータと合成された直交コードと合成する合成器を備える請求項１９記載の装置。
【請求項２２】
変更回路は、シリーズ＋１、−１、＋１、−１、＋１、…から選択された値だけ、各新規ユーザ局に対する各直交コードをシーケンシャルに乗算するが、各新規ユーザに対する各新規セットのチャネルデータに直交コードを非シーケンシャルに割り当てる乗算器を備える請求項１９記載の装置。
【請求項２３】
直交コードはウォルシュコードであり、共通チップ位置は各ウォルシュコード中の第１のチップであり、変更回路は、各ウォルシュコード中の第１のチップ位置を省略するデシメータを備える請求項１９記載の装置。
【請求項２４】
変更回路は、少なくともいくつかの直交コード中で共通チップ位置を省略するデシメータを備える請求項１９記載の装置。
【請求項２５】
変更回路は、少なくともいくつかの直交コードのチップ位置をシフトさせるチップシフト回路を備える請求項１９記載の装置。
【請求項２６】
共通チップ位置の変更に関する情報をユーザ局に送信するプロセッサをさらに具備する請求項１９記載の装置。
【請求項２７】
直交コード発生器および変更回路は単一のコード発生回路を形成する請求項１９記載の装置。
【請求項２８】
直交コード発生器は、メモリ中に記憶される直交コードのテーブルを備え、変更回路は疑似ランダム数発生器を備える請求項１９記載の装置。
【請求項２９】
基地局および基地局と信号を交換する複数のユーザ局を有する通信システム中で、送信信号の送信信号電力を減少させる装置において、
データはパイロットシンボルを含み、複数のチャネル上で送信するためのデータを受け取る入力ノードと、
複数の変更されていない直交コードのそれぞれは同じ値を持つ少なくとも１つの共通チップ位置を有し、０度と３６０度との間の位相値だけ、変更されていない直交コードの少なくともいくつかを変更して、位相変更直交コードを生成させる変更直交コード発生器と、
複数のチャネルのいくつかに対するパイロットシンボルの少なくともいくつかを位相変更直交コードと合成して、複数のチャネルに対する共通チップ位置の加算から生じる合成振幅を減少させる合成回路とを具備する装置。
【請求項３０】
複数の変更されていない直交コードはウォルシュコードであり、共通チップ位置は各ウォルシュコードに対して同じ符号を有し、
変更直交コード発生器は＋１または−１のランダム値を各ウォルシュコードに乗算する請求項２９記載の装置。
【請求項３１】
変更直交コード発生器は、シリーズ＋１、−１、＋１、−１、＋１、…から選択された値により、各変更されていない直交コードをシーケンシャルに乗算するが、各新規ユーザに対する各新規セットのチャネルデータに位相変更直交コードを非シーケンシャルに割り当てる請求項２９記載の装置。
【請求項３２】
位相変更直交コードの位相値に関する情報をユーザ局に送信する送信機をさらに具備する請求項２９記載の装置。
【請求項３３】
変更直交コード発生器は、変更されていない直交コードを発生させる発生器およびランダム位相発生回路を備える請求項２９記載の装置。
【請求項３４】
変更直交コード発生器は、メモリ中に記憶されている変更されていない直交コードのテーブルおよび疑似ランダム数発生器を備える請求項２９記載の装置。
【請求項３５】
基地局および基地局と信号を交換する複数のユーザ局を有する通信システム中で、送信信号の送信信号電力を減少させる装置において、
データはパイロットシンボルを含み、複数のチャネル上で送信するためのデータを受け取る入力ノードと、
複数の変更されていない直交コードのそれぞれは同じ値を持つ少なくとも１つの共通チップ位置を有し、変更されていない直交コードの少なくともいくつかの中の共通チップ位置を減衰させて、変更直交コードを生成させる変更直交コード発生器と、
複数のチャネルのいくつかに対するパイロットシンボルの少なくともいくつかを変更直交コードと合成して、複数のチャネルに対する共通チップ位置の加算から生じる合成振幅を減少させる合成回路とを具備する装置。
【請求項３６】
複数の変更されていない直交コードはウォルシュコードであり、共通チップ位置は各ウォルシュコードに対して同じ符号を有し、
変更直交コード発生器は、各ウォルシュコード中の共通チップ位置を削除する請求項３５記載の装置。
【請求項３７】
変更直交コードの減衰値に関する情報をユーザ局に送信する送信機をさらに具備する請求項３５記載の装置。
【請求項３８】
変更直交コード発生器は、変更されていない直交コードを発生させる発生器および共通チップ位置デシメータ回路を備える請求項３５記載の装置。
【請求項３９】
変更直交コード発生器は、メモリ中に記憶された変更されていない直交コードのテーブルを備える請求項３５記載の装置。
【請求項４０】
すべてのユーザ局が基地局と通信信号を交換し、基地局および複数の他のユーザ局を有する通信システム中で使用するためのユーザ局において、
チャネルデータは複数の直交コードの１つによりエンコードされたパイロットシンボルデータを含み、各直交コードは少なくとも１つの共通チップ位置を有し、共通チップ位置は各直交コードに対して同じ値を有し、１つの受信された直交コードの共通チップ位置が変更される、複数のチャネルの１つからチャネルデータを受信する受信機と、
受信機に結合され、変更された１つの受信直交コードを元の状態に戻すプロセッサとを具備するユーザ局。
【請求項４１】
直交コードはウォルシュコードであり、共通チップ位置は各ウォルシュコードに対して同じ符号を有し、
プロセッサは、１つの受信直交コードが＋１または−１の値により乗算されたことを決定する請求項４０記載のユーザ局。
【請求項４２】
プロセッサは、１つの受信直交コードが０度と３６０度との間の位相値と合成されたことを決定する請求項４０記載のユーザ局。
【請求項４３】
プロセッサは、共通チップ位置が１つの受信直交コード中で削除されたことを決定する請求項４０記載のユーザ局。
【請求項４４】
プロセッサは、１つの受信直交コードのチップ位置がシフトされたことを決定する請求項４０記載のユーザ局。
【請求項４５】
受信機は、１つの受信直交コード中の共通チップ位置の変更に関する情報を受信する請求項４０記載のユーザ局。
【発明の詳細な説明】
【０００１】
【発明の属する技術分野】
本発明は、通信システムに関する。より詳細には、本発明は、挿入パイロットシンボルを使用してワイヤレス通信システムにおいて振幅と干渉を減少するための方法および装置に関する。
【０００２】
【従来の技術】
いくつかの多元接続通信技術は、時分割多元接続（ＴＤＭＡ）および周波数分割多元接続（ＦＤＭＡ）のように、従来の技術において公知である。しかしながら、コード分割多元接続（ＣＤＭＡ）のスペクトル拡散変調技術は、他の多元接続変調技術の比較して顕著な利点を提供する。通信システムにおけるＣＤＭＡ技術は、“ＳＰＲＥＡＤ  ＳＰＥＣＴＲＵＭ  ＭＵＬＴＩＰＬＥ  ＡＣＣＥＳＳ  ＣＯＭＭＵＮＩＣＡＴＩＯＮ  ＳＹＳＴＥＭ  ＵＳＩＮＧ  ＳＡＴＥＬＬＩＴＥ  ＯＲ  ＴＥＲＲＥＳＴＲＩＡＬ  ＲＥＰＥＡＴＥＲＳ”と題する米国特許第４，９０１，３０７号および“ＳＹＳＴＥＭ  ＡＮＤ  ＭＥＴＨＯＤ  ＦＯＲ  ＧＥＮＥＲＡＴＩＮＧ  ＳＩＧＮＡＬ  ＷＡＶＥＦＯＲＭＳ  ＩＮ  Ａ  ＣＤＭＡ  ＣＥＬＬＵＬＡＲ  ＴＥＬＥＰＨＯＮＥ  ＳＹＳＴＥＭ”と題する米国特許第５，１０３，４５９号（両特許が本願発明の譲受人に譲渡されている）に開示されている。
【０００３】
ＣＤＭＡ変調技術は、直交関数のＣＤＭＡの使用に部分的に基づいて他の技術に対して容量の向上を提供する。ＣＤＭＡコードは、例えば、数学的に直交セットを形成するウォルシュ関数によって発生される。このように、あらゆる２つのウォルシュ関数は互いに直交し、そして２つの別個のウォルシュ関数でエンコードされた信号は、それらが時間整列されると、相互に干渉を引き起こさない。ＣＤＭＡ通信システムにおいて使用されるウォルシュ関数の例は、“ＭＥＴＨＯＤ  ＡＮＤ  ＡＰＰＡＲＡＴＵＳ  ＦＯＲ  ＵＳＩＮＧ  ＷＡＬＳＨ  ＳＨＩＦＴ  ＫＥＹＩＮＧ  ＩＮ  Ａ  ＳＰＲＥＡＤ  ＳＰＥＣＴＲＵＭ  ＣＯＭＭＵＮＩＣＡＴＩＯＮ  ＳＹＳＴＥＭ”と題する米国特許第５，６０２，８８３号（本願発明の譲受人に譲渡されている）に開示されている。
【０００４】
ＣＤＭＡは、ワイドバンド信号を使用しているので、それは、信号エネルギーを広いバンド幅にわたって拡散する。従って、周波数選択フェーディングは、そのＣＤＭＡ信号バンド幅の小部分にのみ影響を及ぼす。また、ＣＤＭＡは、移動局またはユーザを２つまたはそれより多くのセルサイトに同時にリンクする複数の信号パスを介して空間またはパスダイバーシティを提供する。更に、ＣＤＭＡは、異なる伝播遅延で到着する信号が別々に受信され、かつ処理されることによってマルチパス環境を利用出来る。パスダイバーシティの例は、“ＭＥＴＨＯＤ  ＡＮＤ  ＳＹＳＴＥＭ  ＦＯＲ  ＰＲＯＶＩＤＩＮＧ  Ａ  ＳＯＦＴ  ＨＡＮＤＯＦＦ  ＩＮ  ＣＯＭＭＵＮＩＣＡＴＩＯＮ  ＩＮ  Ａ  ＣＥＬＬＵＬＡＲ  ＴＥＬＥＰＨＯＮＥ  ＳＹＳＴＥＭ”と題する米国特許第５，１０１，５０１号および“ＤＩＶＥＲＳＩＴＹ  ＲＥＣＥＩＶＥＲ  ＩＮ  Ａ  ＣＤＭＡ  ＣＥＬＬＵＬＡＲ  ＴＥＬＥＰＨＯＮＥ  ＳＹＳＴＥＭ”と題する米国特許第５，１０９，３９０号（両特許が本願発明の譲受人に譲渡されている）に開示されている。
【０００５】
電気通信工業協会のデュアルモードワイドバンドスペクトル拡散セルラシステムに対するＴＩＡ／ＥＩＡ／ＩＳ−９５−Ａ移動局−基地局互換性標準規格に記述された１つのＣＤＭＡ標準規格下で、各基地局は、パイロット、同期、ページングおよびホワードトラフィックチャネルをそのユーザに送信する。このパイロットチャネルは、各基地局によって連続的に送信される非変調ダイレクトシーケンススペクトル拡散信号である。パイロットチャネルは、各ユーザが基地局によって送信されるチャネルのタイミングを捕獲することを可能とし、コヒーレント復調に対する位相基準を提供する。また、パイロットチャネルは、（セル同士間の移動時のような）基地局同士間のハンドオフ時を決定するために基地局同士間の信号強度を比較する手段を提供する。
【０００６】
ＣＤＭＡ変調技術は、そのシステム中での干渉を管理するために、すべての送信機が正確な電力制御下にあることを必要とする。基地局によってユーザへ送信される信号（フォワードリンク）の送信電力が高過ぎる場合、それは、他のユーザとの干渉のような問題を発生し得る。その結果、大部分の基地局は、信号を送信する電力の量が固定であり、従って限られた数のユーザへの送信が出来るに過ぎない。代わりに、基地局によって送信される信号の送信電力が低過ぎる場合、幾人かのユーザは、多数の誤った送信フレームを受信することがある。また、地上チャネルフェーディングおよび他の既知の要因は、基地局によって送信される信号の送信電力に影響を及ぼす。したがって、各基地局は、それがそのユーザへ送信する信号の送信電力を調節することが必要である。送信電力を制御するための方法および装置は、“ＭＥＴＨＯＤ  ＡＮＤ  ＡＰＰＡＲＡＴＵＳ  ＦＯＲ  ＣＯＮＴＲＯＬＬＩＮＧ  ＴＲＡＮＳＭＩＳＳＩＯＮ  ＰＯＷＥＲ  ＩＮ  Ａ  ＣＤＭＡ  ＣＥＬＬＵＬＡＲ  ＴＥＬＥＰＨＯＮＥ  ＳＹＳＴＥＭ”と題する米国特許第５，０５６，１０９号（本願発明の譲受人に譲渡されている）に開示されている。
【０００７】
最近のＣＤＭＡ変調技術は、専用時間多重（“ＤＴＭＰ”）パイロットシンボルを使用するものが提案されている。ＤＴＭＰ方式において、別個のパイロットシンボルが各ユーザのトラフィックチャネルに時間多重される。各ユーザは、パイロットシンボル（および情報シンボル）をシーケンシャルに逆拡散する。代替共通のコード多重化パイロット（“ＣＣＭＰ”）方式において、１つの共通チャネルは、パイロット信号の放送に専用される。パイロットシンボルは、専用チャネルと多重化されず、すべてのユーザは、パイロットシンボルと変調情報信号の両方を並列に逆拡散する。
【０００８】
ＤＴＭＰ方式において、基地局は、各ユーザ毎にパイロットシンボルとパイロットデータに対して総電力の一部を使用しなければならない。パイロットシンボルとパイロットデータに必要な総電力量は、基地局のユーザの全員に対するすべてのパイロットシンボルとパイロットデータのために必要な電力の合計に基づく。ＣＣＭＰ方式は、“最悪の場合の”ユーザによって必要な最大パイロット電力に基づいて、共通のパイロットに総電力の一部分を割り当てることだけが必要である。更に、ＤＴＭＰ方式は、更なる欠点がある。
【０００９】
【発明が解決しようとする課題】
発明者等は、（共通の連続するパイロット信号とは逆の）挿入されたパイロットシンボルで、ＤＴＭＰ方式において異なる移動局またはユーザへ送信されるパイロットシンボルが線形的に加算し、大きなピーク対平均振幅変動を生じさせることを見い出した。このような振幅変動は、大きな電力増幅器を必要とするおよび／またはシステムにおいて干渉を生じさせる。以下でより十分に説明されるように、符号または値は、同時ユーザに割り当てられる各直交コードの１つの位置（“共通符号チップ位置”）で同一であり、それは、大きな振幅を生成するために線形的に追加出来る。
【００１０】
【課題を解決するための手段】
本発明者等は、この問題に対する少なくとも４つのクラスの解決策を確認した。第１の解決策では、基地局は、各ユーザの信号にプラスまたはマイナスのランダム変数によって、あるいは０または１８０度のような０と３６０度の間の位相回転によって乗算する。コードの直交性は、なお直交関数同士間に維持されるが、いくつかのコードの共通符号チップ位置の値は変化する。ユーザ局は、ウォルシュ復調の符号を観察することによって、あるいは基地局から送られる追加のデータを受信することによってランダム変数の値を決定出来る。
【００１１】
第２のクラスの解決策では、基地局は、各直交関数の共通符号位置において空シンボルまたはチップを送信する。次に、ユーザ局は、直交関数シーケンスの残りの部分を受信した後、失われたチップを再挿入する。ユーザ局は、ウォルシュ関数で最初のチップを再構成出来る。例えば、すべての送信されたウォルシュ関数が、完全に送信されて、合計が０となった場合、ユーザ局は、（最初のチップなしで）受信されたウォルシュ関数のすべてをすべてのウォルシュチップにわたって合計する。この合計の負は、ウォルシュ関数が完全に送信されたとすれば、受信された信号が有するであろう値である。ウォルシュ関数の１つが合計０にならなかった場合（例えば、すべてのチップが１であった場合）、すべての受信されたウォルシュ関数の最初のウォルシュ復調が最初のウォルシュチップ増幅を解決する連立方程式を提供する。
【００１２】
第３のクラスの解決策では、各ユーザ局にそれ自体のパイロットシンボルを提供する代わりに、最初に、基地局が異なるユーザに共通のシンボル位置を識別する。例えば、４人のユーザがシンボル位置６で１つのシンボルを受信することを期待出来る。４つの別々のパイロットシンボルを送信する代わりに、基地局は、４人すべてのユーザによって使用されるべき１つのパイロットシンボルを送信するに過ぎない。これは、ハイブリッドＤＴＭＰとＣＣＭＰ方式である。個々のパイロットシンボルは、有効に共有されるかユーザ間で合成され、すべてのユーザ局に必要なパイロットシンボルを提供する。パイロットシンボルは、ユーザ局が何らかのパイロットシンボルを見つけることを期待していないシンボル位置には送信されない。この第３のクラスの解決策は、ピーク対平均振幅問題を減少させるのみならず、送信されるシンボルの数を減少して、送信されるチャネル間の干渉を減少させる。
【００１３】
第４のクラスの解決策では、基地局は、ランダム量だけ各直交コードをシフトする。ユーザ局は、各チャネル毎のランダムシフトに関する情報を受信して、チャネルのシフトを戻し、直交性を維持する。このようなランダムシフトは、直交コードにおいて共通符号チップ位置を効果的に“シャッフルし”、それによって上述のピーク対平均振幅問題を減少させる。
【００１４】
広い意味で、本発明の一態様は、基地局とこの基地局と通信信号を交換するいくつかのユーザ局とを有する通信システムで使用されるためのものである。送信される通信信号の送信信号電力を減少させるための方法は、（ａ）いくつかのチャネル上で送信されるチャネルデータを受信することと、ここでこのチャネルデータがパイロットシンボルデータを含み、（ｂ）直交コードを受信されたチャネルデータを組み合わせることを、ここで各直交コードは、少なくとも１つの共通チップ位置を有し、かつこの共通チップ位置は、各直交コード毎に同じ値を有し、および（ｃ）直交コードと組み合わされたチャネルデータを送信する前に、少なくとも１つの直交コードの共通チップ位置を変えて、同時に送信することといくつかのチャネルに対する共通チップ位置を追加することから生じた合成された振幅を減少させることと、を含む。
【００１５】
本発明の他の態様では、方法は、（ａ）いくつかのチャネル上でのいくつかのユーザ局への送信のためのチャネルデータを受信することと、ここでこのチャネルデータがパイロットシンボルデータを含み、（ｂ）このいくつかのユーザ局の各々がパイロットシンボルを見つけることを期待するシンボル位置を決定することと、および（ｃ）いくつかのユーザ局がパイロットシンボルを見つけることを期待するシンボル位置においてのみパイロットシンボルをいくつかのユーザ局へ送信することと、他のシンボル位置においてパイロットシンボルを送信するのに失敗することと、を含む。
【００１６】
本発明の他の態様では、ユーザ局は、受信機と送信機とを含む。ユーザ局は、基地局といくつかの他のユーザ局とを有する通信システムで使用するためのものである。ユーザ局のすべては、通信信号を基地局と交換する。受信機は、いくつかのチャネルの内の１つからチャネルデータを受信し、ここで、チャネルデータがいくつかの直交コードの１つでエンコードされたパイロットシンボルデータを含み、かつ各直交コードが少なくとも１つの共通チップ位置を有する。共通チップ位置は、各直交コード毎に同じ値を有する。１つの受信された直交コードの共通チップ位置が変更される。受信機に結合されたプロセッサは、変更された１つの直交コードを元の状態に戻す。
【００１７】
【発明の実施の形態】
図面において、同じ参照番号は、同様な構成要素を識別する。特定の構成要素の議論での識別を容易にするために、参照番号における最上位の桁は、この構成要素が最初に紹介され、図面番号を指す（例えば、構成要素２０４は、図２で最初に紹介され、図２に関して議論される）。
【００１８】
通信システムと、また特に、システム中の電力と信号干渉を制御するための装置および方法が、本明細書中で詳しく説明されている。下記の説明の中で、本発明を徹底的に理解するために、複数の特定した詳細が記載されている。しかし、当業者であれば、特定のこれらの説明無しで、あるいは代替要素または工程で本発明を実施することができることが分かるはずである。他の例の中で、周知の構造と方法は、本発明を分かりにくくすることを避けるために詳しく説明されていない。
【００１９】
図１は、例示としてのセルラ加入者通信システム１００を示しており、システムでは、ユーザ局のユーザ（例えば移動電話機）とセルサイトまたは基地局との間での通信のためのＣＤＭＡのような多元接続技術を使用している。図１の中で、移動ユーザ局１０２は、１つまたはそれ以上の基地局１０６ａ、１０６ｂ等で、基地局制御装置１０４と通信する。同様に、固定ユーザ局１０８は、基地局制御装置１０４と通信するが、基地局１０６ａと１０６ｂのような１つまたはそれ以上の予め定められた、隣接する基地局によってのみ通信する。
【００２０】
基地局制御装置１０４は、基地局１０６ａと１０６ｂにシステムを制御提供するためのインタフェースおよび処理回路に結合され、典型的にそれを含み、基地局１０６ａおよび１０６ｂにシステム制御を行う。基地局制御装置１０４は他の基地局とも結合され、通信し、おそらく他の基地局制御装置とも通信することができる。基地局制御装置１０４は、移動スイッチングセンタ１１０に結合されており、移動スイッチングセンタ１１０はホーム位置登録装置１１２に結合されている。当技術において知られている通り、各通話の開始に当たっての各ユーザ局の登録の間、基地局制御装置１０４と移動スイッチングセンタ１１０は、ユーザ局から受信された登録信号をホーム位置登録装置１１２の中に保存されているデータと比較する。当業者により知られている通り、基地局制御装置１０４と他の基地局制御装置との間で、また移動スイッチングセンタ１１０と他の移動スイッチングセンタとの間でさえ、ソフトハンドオフが起こる可能性がある。
【００２１】
システム１００が、電話あるいはデータトラフィック通話を処理するとき、移動スイッチングセンタ１１０が、公衆電話交換ネットワーク（ＰＳＴＮ）との通信を確立し、維持しまた終了する一方で、基地局制御装置１０４は、移動局１０２および固定局１０８とのワイヤレスリンクを確立し、維持しまた終了する。下記の説明は、基地局１０６ａと移動局１０２との間で送信される信号に重点を置いているが、当業者であれば、説明が、他の基地局にまた他の固定局１０８に等しくあてはまることが分かるはずである。
【００２２】
図２を参照すると、基地局１０６aの中で使用される変調器とエンコーダ２００は、チャネルデータのシリアルストリームを受信してから、同位相（“Ｉ”）と直角位相（“Ｑ”）チャネル上にデータのパラレルストリームを出力するシリアル・パラレルコンバータ２０２を含む。直交コード発生器２０４は、ウォルシュコードのような直交コードを発生させる。下記に更に詳しく説明されている通り、位相ローテータ２０６は、交直コード発生器２０４からのウォルシュコードの出力に対して、０と３６０度との間で異なる位相回転を発生させる。例えば、より単純な実施形態において、位相ローテータ２０６は、０あるいは１８０度の位相回転を発生させる。その結果、位相ローテータ２０６は、ランダムに、プラスあるいはマイナス１値をウォルシュコードに乗算する。位相ローテータ２０６が、交直コード発生器２０４に結合されて示されているが、位相ローテータを、エンコーダ２００中の他のエレメントに結合させることができる。
【００２３】
乗算器２０８と２１０の第１の対は、それぞれ同位相と直角位相信号で、ランダムに反転されたウォルシュコードを乗算する。重要なことは、変調器２００に入力されるチャネルデータは、挿入されたパイロットシンボルを含み、この挿入されたパイロットシンボルに対して、直交コード発生器２０４からの直交コードが乗算される。すべての直交コードの中で、直交コードのマトリックス中の少なくとも１つの行あるいは列は、同じ符号を有している（“共通符号チップ位置”）。パイロットシンボルは、典型的に、シンボルのすべてのチップの位置に対して一連の＋１値を含む。従って、位相ローテータ２０６無しでは、複数の移動局に対するプラス１値のパイロットシンボルは、直交コードの共通符号チップ位置が下記に説明されている通り揃っているときは、互いに加算されて、ピーク対平均振幅を増加させる。
【００２４】
乗算器２１２と２１４の第２の対は、スクランブルコード発生器２１６からの出力であるスクランブルコードを、それぞれ乗算器２０８と２１０から出力された信号に乗算する。１個のチャネルのみしか示されていないが、エンコーダ２００は、スクランブルコード発生器２１６によってスクランブルされるか、拡散される前に、すべてのウォルシュチャネルからの信号を（各チャネル上の何らかの利得と）合成する。パルスフィルタのような一対のフィルタ２１８と２２０は、それぞれ同位相チャネルおよび直角位相チャネル上の乗算器２１２と２１４からの出力をフィルタする。乗算器２２２と２２４の第３の対は、それぞれ同位相チャネルと直角位相のチャネル上のｃｏｓ（ωｔ）とｓｉｎ（ωｔ）発生器２２６と２２８により提供された搬送波周波数で、フィルタされた信号を乗算する。最後に、加算器２３０は、増幅と移動局１０２へ送信の前に、乗算器２２２と２２４の第３の対からの信号を加算する。
【００２５】
本明細書で他に説明されていない限り、図１、２と、また他の図の中に示されている種々の構造と動作は、従来の設計と動作である。従って、当業者であれば理解できるはずであるので、そのようなブロックはこれ以上説明する必要はない。これ以上の説明は、簡素化するために、また本発明の詳細な説明を分かりにくくすることを避けるために省かれている。図１の通信システム１００のブロック、図２のエンコーダ２００、または他のシステムの何れに対して必要な何らかの変形も、当業者であれば、本明細書中の詳しい説明に基づいて容易に実施なし得る。
【００２６】
図３を参照すると、ウォルシュ１２８マトリックスの最初の１４行と１１列の部分が、示されており、マトリックスは、直交コード発生器２０４により発生された直交コードの例を反映している。図３の中で示されている通り、第１のチップ位置（すなわち第１列）の中には、すべて“１”値が入っている。他の直交コードも、必ずしも第１列の中である必要はない（すなわち、第１のチップ位置の中ではない）共通符号チップ位置のマトリックスを使用することができる。
【００２７】
図４を参照すると、例示として、同じ電力が各移動局のために使用されているものと仮定しているが、異なる電力を各ユーザ局に送信するより現実的な場合に対する下記の例から同様の結論を引き出すことができる。重要なことは、第１のウォルシュチップは、線形的に加算されることである。ｋ番目の行は、ウォルシュマトリックス中の最初の（ｋ＋１）行の合計であり、追加されている異なる移動局の（ｋ＋１）個のパイロットシンボルに対応する。従って、パイロットシンボルが正しく整列されていると仮定して、第１のウォルシュチップは、１６の移動局により１６の値に加算される。下記に示されている通り、第１のウォルシュチップ位置の電力は、ほぼ移動局数Ｎの２乗まで大きくなる一方で、すべてのチャネルからのばらつきは、Ｎで線形的に大きくなり、Ｎが増えると悪い結果を生ずる。Ｎが増加すると振幅がより平滑化されるが、Ｎの増加は、振幅の線形的増大をオフセットさせるだけであることが分かる。
【００２８】
発明者は、挿入されたパイロットシンボルに伴う問題を突き止めただけでなく、下記のような問題を定量化した。定量化の例は、各々のフレームが１６スロットを含むことを仮定して、フルレート通話は、４個のパイロットシンボルと、１個の制御ビットと、また１５個のデータシンボルから成るスロットを有するのに対して、１／８レート通話は、４個のパイロットシンボルと、１個の制御ビットと、２個のデータシンボルと、また互いに対してバーストとしてランダムに送信される１３個の空シンボルを含む。通話は、１個のシンボルの最小識別距離で位置がオフセットされたフレーム（およびスロット）に割り当てられる。便宜上、基準スロットは、ゼロのオフセットを有し、すべての１／８レートの通話は、基準スロットに対して０−１９のスロットオフセットを有する。数学的に、次のようにする。
【００２９】
ｘ１８＝移動局の自分の基地局により設定された１／８レート通話の数
ｘ１ｆ＝移動局の自分の基地局により設定されたフルレート通話の数
ｘ２８＝基地局からサービスを受けるが他の１つの基地局の中で設定される１／８レートの通話の数
ｘ２ｆ＝基地局からサービスを受けるが他の１つの基地局の中で設定されるフルレートの通話の数
ｘ１８ｉ＝オフセットｉを有する移動局の自分の基地局により設定された１／８レート通話の数
ｙ１８ｉ＝オフセットｉのシンボルを有する移動局の自分の基地局により設定された１／８レート通話の数、等
他の基地局（“２通話”）により設定されるすべての通話は、２０のオフセットの中で、ランダムに置かれる。移動局の自分の基地局（“１通話”）により設定されるすべての通話に対して、基地局は、通話が発信されたとき、下記に解説されている方法で、オフセットを選んで、１／８レート通話との干渉を最小限度に抑える。
【００３０】
シンボル位置ｉ中の通話シンボルの総数は、下記の通り決定される。フルレート通話は、すべてのシンボル位置を占めるのに対して、ｉ−６、ｉ−５、ｉ−４、ｉ−３、ｉ−２、ｉ−１、ｉのオフセットを有する１／８レート通話数は、位置ｉの中でオーバーラップする通話間のシンボルを有する。ｉ−ｊ＜０のときは、そのようなシンボルは、以前のスロット中で開始しているバーストから発生するものと仮定されるので、従って、次のようになり、他の場合も同様である。
【数１】
2002524911.tif 000001
【００３１】
Ｎチャネルに対する信号ｘを、ガウスの近似で充分にモデル化することができる。従属±１シーケンスａ1とａQにより乗算した後のＩとＱ成分は、ｘ1＝ａ1ｘとｘQ＝ａQｘである。２乗されたエンベロープは、
【数２】
2002524911.tif 000002
【００３２】
従って、
【数３】
2002524911.tif 000003
【００３３】
ここで、ｘ2は、非心パラメータｐによる非心カイ２乗ランダム変数である。
【００３４】
すべてのシンボルに対して単位振幅に正規化された１つの１／８通話に対して、不変符号の４個のパイロットシンボルと、また±１の３個の他のシンボルがある。所定の位置が占められている場合は、特定のシンボル位置に対する平均と分散は、それぞれμ＝４／７とσ2＝１−１６／４９である。同様に、不変符号の４個のパイロットシンボルを有するフルレート通話に対して、平均と分散は、それぞれ、μ＝４／２０とσ2＝１−μ２である。特定のシンボル位置中の固定されたｙ8とｙｆ通話に対して、ｙ8＝ｙ18＋ｙ28およびｙｆ＝ｙ１ｆ＋ｙ２ｆの場合は、特定のシンボル位置中の平均と分散は、それぞれ、μ＝４／７＊ｙ８＋１／５＊ｙｆとσ2＝ｙ８（１−１６／４９）＋ｙｆ（１−１／２５）である。固定された通話数に対するカイ２乗近似を使用すると、
【数４】
2002524911.tif 000004
【００３５】
ここでｐ（ｙ８、ｙｆ）は、これらのランダム変数のジョイント確率塊関数である。
【００３６】
前記の数学的解答を基礎とするシミュレーションを構築すると、図５と６のグラフが作成された。シミュレーションの下で、下記の推定が行われた。  
（１）すべての通話がランダムに到着する（ポアソン分布）。  
（２）固定された通話数に対して、それぞれ到着する通話は、同じタイプの通話を終了させる（すなわち、新しい１／８レートの通話は、現存する１／８レート通話を終了させる。）。  
（３）ランダム数の通話に対して、通話はランダムに終了させられる（指数の保持時間）。  
（４）２通話は、ランダムにオフセットを割り当てられる。  
（５）１通話は、オフセットが割り当てられて、１と２シンボルの最小合計、ｙ１８＋ｙ１ｆ＋ｙ２８＋ｙ２ｆが提供される。  
（６）フルレート通話は、１／８レートにまたは選択されたレートでこの反対となる。  
（７）固定された数の１と２通話が使用される。  
（８）トランザクションレートは、平均して、フルまたは１／８レート通話と、等しい時間量だけ通話が費やすように設定される。  
（９）各タイプの通話の平均数（１８、１ｆ、２８、２ｆ）が、５または３０である（すなわち、通話総計が、Ｎ＝２０または１２０）。  
（１０）すべてのシンボル、パイロットとその他が、同じ振幅を有する。
【００３７】
図５と６の中で示されている通り、挿入されたパイロットシンボルの振幅が追加され、それによって、２０と１２０通話のそれぞれに等しい数Ｎに対するピーク対平均電力比を増大する。統計的に合理的な確率である１×１０-4で、挿入パイロットシンボルのピーク対平均比は、図５と６の中にそれぞれ示されている通り、約１５と１７ｄＢである。これは、（図５と６の中で、破線で示されている通り）フルレートで連続的に送信される別のパイロットに対する約１２ｄＢの比に匹敵する。
【００３８】
前記で指摘されている通り、ピーク対平均比の増加は、ＣＤＭＡコーディングの中で使用される直交コード中の共通符号チップ位置から生ずる。第１のクラスの解決策では、このピーク対平均の増加を減衰させるために、図２の変調器２００は位相ローテータ２０６を使用して、直交コード発生器２０４から出力された直交コードにプラスまたはマイナス１の値をランダムに乗算する。例えば、３通話には、図３のウォルシュマトリックスの行２、６および１３にそれぞれ対応するウォルシュコード１１−１−１１−１−１１１−１−１・・・、１１−１−１−１−１１１１１−１−１・・・、および１−１１−１−１１−１１−１１−１・・・が割り当てられていると仮定している。位相ローテータ２０６が、値−１、−１および１を３個のコードに乗算するものと仮定すると、変更ウォルシュコードは、−１−１１１−１−１１１−１−１１１・・・、−１−１１１１１−１−１−１−１１１・・・、および１−１１−１−１１−１１−１１−１１・・・である。たったの３つの通話のこの例で分かる通り、最初の２つの通話に対する第１のチップ位置は、それ等自身の１の値を−１に変更させている。このような変更されたウォルシュコードが、同時に発生する通話に対するパイロットシンボルにより乗算されると、このようなパイロットシンボルは、整列され追加されたときに、大きな振幅を提供しない。
【００３９】
直交コード発生器２０４は、ウォルシュコードのような、直交コードを、アルゴリズム的に発生させることができる。位相ローテータ２０６は、擬似ランダム数発生器とすることができる。代わりに、直交コード発生器２０４および位相ローテータ２０６を組み合わせて、位相変動を有する直交コードをランダムに発生させる単一の装置を形成することができる。別の代替では、直交コード発生器２０４は、直交コードの記憶テーブルとすることもできる。
【００４０】
基地局１０６ａは、移動局１０２によって受信されたチャネルを含む各チャネル毎に、任意の位相オフセットを提供する。移動局１０２は、受け取ったパイロットシンボルの位相とデータシンボルを比較することによって、データシンボルをデコードする。移動局１０２は、直交コードの元の位相（位相ローテータ２０６からのプラス１あるいはマイナス１によって乗算される前の位相）を決定する必要はないが、その代わりに、パイロットシンボルとデータシンボルとの間の、相対的な位相オフセットを決定する。移動局１０２は、同一の乗算器によって、チャネル中の受け取られたすべてのシンボルを乗算する。相対的な位相オフセットは、維持される。
【００４１】
図７を参照すると、移動局１０２の一例は、基地局１０６ａに対して信号を送受信するアンテナ７１０を含む。デュプレクサ７１２は、基地局１０６ａから受信機システム７１４へのフォワードリンクチャネル、すなわち信号を供給する。受信機システム７１４は、受信機フォワードリンクチャネルの復調とデコーディングの大部分を実行する。例えば、受信機システム７１４は、ウォルシュコードの復調を実行する。受信機システム７１４は、電力および信号の品質の測定を行ってもよい。
【００４２】
制御プロセッサ７１６は、以下に説明するように、フォワードリンクチャネルの処理の多くを行う。メモリ７１８は、制御プロセッサ７１６によって実行されるルーチンを、永久的に記憶し、受信フレームのようなデータの一時的な記憶を行う。送信機システム７２０は、基地局１０６ａに送り返すために、リバースリンクトラフィックデータ信号を、エンコードし、変調し、増幅し、アップコンバートする。
【００４３】
移動局１０２との通話を確立するとき、基地局１０６ａは、位相ローテータ２０６によって供給された位相値を、移動局が識別する送信情報を移動局に送信してもよい。以下の場合、基地局１０６ａは、位相値の情報を、移動局１０２に送信してもよい。すなわち、（１）パイロットシンボルのみが、位相オフセットを与えられているとき、（２）高いデータレートを搬送するために、１人のユーザに対して複数のウォルシュコードチャネルが用いられ、これらのチャネルに異なる位相オフセットが与えられ、これらのチャネル上のパイロットシンボルが、コヒーレントに合成されるとき、（３）異なるウォルシュコードチャネルからのパイロットシンボルが合成されて、移動局によって用いられ、これらのコードチャネルに、異なる位相オフセットが与えられるときである。その後、制御プロセッサ７１６は、前もって送信された位相値に基づいて、受け取られたスロット中の位相変化を補正してもよい。したがって、位相値が１８０度（すなわち、マイナス１）である場合、移動局１０２の受信機システム７１４中の復調器は、コードをマイナス１で乗算し、位相を補正する。
【００４４】
代替実施形態においては、プラス１とマイナス１の値のランダムな列を発生させるというよりはむしろ、位相ローテータ２０６は、新たなユーザに適用される、プラス１と、マイナス１の値を交互にした順序付けられたシーケンス（すなわち、１、−１、１、−１、１…）を発生させる。この代替実施形態および、ここに記載したものは、上述の実施形態と類似している。重要な差異のみ、詳細に説明する。この代替実施形態において、変調器２００の直交コード発生器２０４は、直交コードを新しい通話者の各々にランダムに割り当てる。その結果、パイロットシンボルによって乗算された直交コードの位相はランダムに維持されるので、ウォルシュマトリックスにおけるランダムな直交コードは、反転される（すなわち、−１によって乗算される）。
【００４５】
第１の代替実施形態によれば、図８に示される第２のクラスの解決策において、エンコーダ８００はエンコーダ２００と類似している。しかし、位相ローテータ２０６は、パイロットチップデシメータ８０６と置き換えられている。チップデシメータ８０６は、パイロットシンボルを識別し、パイロットシンボル用の直交コード発生器２０４から出力される直交コードにおける共通符号チップ位置を削除する。したがって、図３のウォルシュコードによって、チップデシメータ８０６は、そのようなコードにおける第１のチップ位置を削除する（列０におけるチップを削除する）。その結果、エンコーダ８００は空のパイロットシンボルを、第１のウォルシュチップ位置で送る。
【００４６】
直交コード発生器２０４およびチップデシメータ８０６は、別々のブロックとして示されてはいるが、これらのブロックを組み合わせて、削除された共通符号チップ位置を有する直交コードを出力する単一の直交コード発生器を形成することもできる。代わりに、直交コード発生器２０４は、それぞれのコードに対して、共通符号チップ位置を持たない記憶テーブルとすることもできる。この代替実施形態において、チップデシメータ８０６は必要ないため、削除してもかまわない。
【００４７】
直交性を回復させるために、移動局１０２は、受信されたシンボル中のデシメートされたチップを、少なくとも２つの方法のうち１つの方法によって置き換える。まず、移動局１０２は、表記法において、１／０に対して、１／−１を使用するとき、最初の列を除いて、すべてのウォルシュコードを合計するとゼロの値になること認識する。したがって、移動局１０２は、ウォルシュ復調の符号を監視することによって、プラス１またはマイナス１の値を決定することができる。ユーザ局１０２は、ウォルシュ関数を用いることによって、第１のチップを再構築することができる。例えば、送られたすべてのウォルシュ関数は、完全に送られて、合計がゼロになる場合は、ユーザ局１０２は、すべてのウォルシュチップに対し、受け取ったすべてのウォルシュ関数（第１のチップは除く）のすべてを合計する。この合計の負の値は、ウォルシュ関数が完全に送られた場合に、受信された信号が取りうる値である。ウォルシュ関数の１つが、合計してゼロにならない場合は（例えば、すべてのチップが１であるとき）、すべての受け取られたウォルシュ関数のうち第１のウォルシュ復調は、第１のウォルシュチップ振幅に対する解決策として、連立方程式を提供する。したがって、移動局１０２の制御プロセッサ７１６は、受け取ったチップの合計を分析して、第１のチップ位置の値を決定する。
【００４８】
代わりに、初めに、デシメートされたチップの値を反映する新しい通話を確立するとき、基地局１０６ａは、移動局１０２に情報を送信する。この方法は、図７に関して、上述した方法と実質的に同じである。
【００４９】
代替実施形態において、チップデシメータ８０６は、共通チップ減衰器（図示せず）によって置き換えられる。共通チップ減衰器は、選択された量だけ、共通符号チップ位置を減衰する。その後、選択された量の値は、典型的に、新しい通話が確立したときに、移動局１０２に対して送信される。それから、移動局１０２は、選択された量だけ、共通符号チップ位置をブートまたは増幅して、直交性を回復させる。この代替実施形態は、図８を参照して上記に説明した、第１の代替実施形態のより一般的な適用である。
【００５０】
第２の代替実施形態では、第３のクラスの解決策において、パイロットシンボルが送信され、同時に存在するユーザのために、基地局１０６ａによって有効に時間多重化される。この第３のクラスの解決策は、ピーク対平均振幅問題を減少させるだけでなく、送信されるシンボルの数をも減少させ、それによって、送信チャネル間の干渉を減少させる。さまざまなユーザが、選択された時間において、パイロットシンボルを探索する。ユーザが何らかのパイロットシンボルも探索しないようなときには、基地局１０６ａは、そのような時間（すなわち、そのようなスロット）中には、パイロットシンボルを１つも送信しない。
【００５１】
例えば、１フレームにつき１６個のスロットであり、１スロットにつき２０個のシンボル（および、１つのシンボルに対して、１２８あるいは２５６個のチップ位置）であると仮定した場合、もし、各スロットが、４つのパイロットシンボル、０から３を含んでいるなら、基地局１０６ａは、図９に示されるように、スロット０の最初の４つのシンボル位置０から３に、４つのパイロットシンボル０から３のすべてを送信する。パイロットシンボル０から３は、スロットの連続したシンボル位置に示されているが、特に、そのような位置である必要はない。ユーザ１は、シンボル位置０から３において、４つのパイロットシンボル０から３を探索し、検索する。後続ユーザのスロットは、シンボル位置０からｋまでの固定数によってオフセットされる。ユーザに対するスロットのオフセットは、シンボルの境界が整列するように、１つのシンボルの長さと等しい最小識別距離で発生しなければならない。
【００５２】
ユーザ２は、ユーザ１からの２つのシンボル位置だけオフセットされ、ユーザ３は、ユーザ２からの８つのシンボル位置（ユーザ１からは１０個のシンボル位置）だけオフセットされる。ユーザ２は、スロット０のシンボル位置２および３において、その４つのパイロットシンボルのうち２つを探索し、検索する。ここで、ユーザ２が、スロットの開始点から、２つのシンボル位置だけオフセットされていることが分かると、基地局１０６ａは、ユーザ２がこのようなシンボルを探索して獲得するシンボル位置４および５に、２つのパイロットシンボルを挿入する。
【００５３】
ユーザ３が、スロットの開始点から１０個のシンボル位置だけオフセットされていることが分かると、基地局１０６ａは、シンボル位置１１から１４に、パイロットシンボル０から３を挿入する。したがって、ユーザ３は、そのパイロットシンボルを獲得するために、シンボル位置１１から１４の中を探索する。ユーザ４は、ユーザ３と同一のオフセットを持っている。したがって、基地局１０６ａは、いかなる付加的なパイロットシンボルをも送る必要はない。ユーザ４は、そのパイロットシンボルを獲得するために、ユーザ３と同じシンボル位置を探索する。
【００５４】
重要なことは、基地局１０６ａは、そのユーザが、そのようなパイロットシンボルを探していないと分かっている場合には、いかなるパイロットシンボルをも送信しないという点である。したがって、図９に示されるように、基地局１０６ａは、シンボル位置６から９に、いかなるパイロットシンボルをも送信しない。したがって、この例においては、（合計、１６個のシンボルに対して）それぞれ４人のユーザに対して、４個のシンボルを送るというよりはむしろ、基地局１０６ａは、４人のユーザに、シンボルを１０個だけ送信する。より少ない数のパイロットシンボルを送信することによって、上述のピーク対平均比は減少する。パイロットシンボルは実質的に類似するため、このようなシステムが可能となる。さらにこの第２の代替実施形態において、基地局１０６ａは、パイロットシンボル用に、ユーザ毎に同じウォルシュコードを用いることもできる。しかしながら、基地局１０６ａは、異なるウォルシュコードを用いて、各ユーザに対するデータをエンコードする。移動局１０２の制御プロセッサ７１６は、パイロットシンボルを復調する１つのウォルシュコードと、データトラフィックを復調するもう１つのウォルシュコードとの間で切り替える。
【００５５】
さらに重要であると考えられるのは、単に、送信されるパイロットシンボルの数を減少させることによって、トラフィックチャネルを含む送信されたチャネル間の干渉が減少することである。あるシンボル位置の間にパイロットシンボルを送信しないことにより、パイロットシンボルに割り当てられる電力を減少させることができる。
【００５６】
図１０を参照すると、この第２の代替実施形態を実施するエンコーダ１０００は、エンコーダ２００と類似しているが、位相ローテータ２０６は削除されている。エンコーダ１０００は、シリアル・パラレルコンバータ２０２に入力されるチャネルデータにパイロットシンボルを供給するパイロットシンボル発生器１０１０を含んでいる。基地局プロセッサ１０１２はエンコーダ１０００が送信するすべてのユーザを識別し、ユーザがパイロットシンボルを探索する各スロット中のシンボル位置を決定する。基地局プロセッサ１０１２はパイロットシンボル発生器１０１０に対して、ユーザがそのようなシンボルの受信を予期しているときのみ、チャネルデータにパイロットシンボルを挿入するように命令する。ユーザに関するデータは、一時的に、メモリ１０１４に記憶される。基地局プロセッサ１０１２は、パイロットシンボル発生器１０１０に対して、ユーザがこのようなシンボルを探索するのを予期していないシンボル位置には、いかなるパイロットシンボルをも出力しないように命令する。要するに、基地局プロセッサ１０１２は、パイロットシンボルを送信するシンボル位置を決定する。
【００５７】
直交コード発生器２０４は、その後、すべてのパイロットシンボルに対して、同一のウォルシュコードを割り当てて、乗算する。代わりに、基地局プロセッサ１０１２は、直交コード発生器２０４に対して、パイロットシンボルに対する複数のウォルシュコードを発生させるように命令する。それから、基地局プロセッサ１０１２は、どのウォルシュコードがパイロットシンボルに割り当てられているのかが移動局に分かるように、エンコーダ１０００に対して、移動局１０２に向けて情報を送信させるようにする。
【００５８】
図１１を参照すると、この第２の代替実施形態において、基地局１０６ａが送信する現在のすべてのユーザを識別することによって、基地局プロセッサ１０１２によって実施される基本ルーチン１１００が、ステップ１１１０から開始される。当業者は、図１１のフローチャートおよびここに詳述された記載に基づいて、ソースコードを作成することが可能である。ルーチン１１００は、メモリ１０１４に記憶されることが好ましい。
【００５９】
ステップ１１１２において、基地局プロセッサ１０１２は、現在の各ユーザが、パイロットシンボルの発見を予期しているシンボル位置を決定する。ステップ１１１４において、基地局プロセッサ１０１２は、信号をパイロットシンボル発生器１０１０に供給し、現在のユーザがパイロットシンボルの発見を予期しているシンボル位置においてのみ、パイロットシンボルが発生するようにさせる。
【００６０】
第３の代替実施形態では、図１２に示される第４のクラスの解決策において、エンコーダ１２００は、エンコーダ２００に類似しているが、位相ローテータ２０６は、ランダムシフト発生器１２０６と置き換えられている。ランダムシフト発生器１２０６は、０からｎまでのランダム数によって、直交コード発生器２０４から出力される各直交コードを、ランダムにシフトさせる。ここで、ｎは、直交コードのｎ番目のチップ位置である。したがって、図３のウォルシュマトリックスによって、ランダムシフト発生器１２０６は、０から１２７までのランダム数によって、各ウォルシュコードをオフセットする。この結果、各直交コードがランダムにシフトされるため、共通符号チップ位置（図３においては、第１のチップ位置）は、もはや存在しなくなる。例えば、所定のウォルシュコードの最初の４個および最後の６個のチップ位置が、１−１−１１…、１−１−１１１−１であり、また、そのコードが、１つのチップ位置だけ、右方向にシフトされていたとしたら、その結果、最初および最後の４個のチップ位置は、−１１−１−１…、−１−１１１となる。ここで、このコードの右端からシフトされたチップ位置は、最初に、そのコードの左端に位置付けされていることが理解されよう。
【００６１】
ランダムシフト発生器１２０６は、図３のウォルシュマトリックスに対して、０から１２７の数をランダムに発生させる、擬似ランダム数発生器であってもよい。再度説明すると、直交コード発生器２０４は、記憶テーブルとすることができる。代わりに、ランダムシフト発生器１２０６および直交コード発生器２０４を組み合わせて、直交コードに対するチップ位置の数と同じ数だけランダムにオフセットされる直交コードを発生させる単一の回路とすることができる。
【００６２】
基地局１０６ａは、移動局１０２のチャネルに対して、シフト値を送信するだけでなく、基地局が送信するすべてのユーザに対するシフトコードも送信する。制御プロセッサ７１６に対しては大きなプロセッサオーバーヘッドを要求することになるが、移動局１０２は、直交性を回復させるために、すべてのチャネルのシフトを戻す。したがって、移動局１０２は、そのチャネルを復調し、デコードすることができる。
【００６３】
例示のために、ここには、本発明の特定の実施形態、および実施例が記載されているが、当業者に理解されるように、本発明の範囲を逸脱することなく、さまざまな均等変形例をなし得る。例えば、上述した多くの実施形態は、ハードウエア中で実施されるように図示され記載されているが、このような実施形態は、ソフトウエアにおいても、同様に実施することができ、プロセッサによって実行されることも可能である。このようなソフトウエアは、コンピュータ読み取り可能ディスクとして半導体チップに記憶されたり、あるいは、サーバからダウンロードされ記憶されたりするマイクロコードなどのように、任意の適切なコンピュータ読み取り可能媒体に記憶することが可能である。上述の種々の実施形態を組み合わせて、さらなる実施形態を提供することができる。一般的に、上記に詳述された直交コード変更技術は、例としてあげたものであって、当業者は、本発明の教示と概念に基づいて、同様な技術を作り出すことができる。
【００６４】
本発明が提供する教示は、上述の例示された通信システムにのみ適用される必要はなく、他の通信システムにも適用することができる。例えば、本発明は一般的に、ＣＤＭＡ通信システム１００において適用されるように上記に記述されているが、本発明は、他のデジタルあるいはアナログ通信システムにも、同様に適用される。基地局１０６ａは、上記には、直交コードを変更したり、パイロットシンボルを選択的に送信するように記述されているが、このような技術は、ユーザ局にも適用することができる。本発明は、参考として本明細書に記載した、上述した種々の特許のシステム、回路および概念を用いるために、必要があれば、修正することも可能である。
【００６５】
これらの、また他の変更は、上述した詳細な説明に照らし合わせて、本発明に加えることができる。一般的に言って、添付した請求の範囲において用いられる用語によって、本発明は、明細書や請求の範囲に開示された特定の実施形態に限定されると解釈すべきではなく、請求の範囲において動作して、送信信号における振幅を減少させ、あるいは、送信信号間の歪みを減少させるすべての通信システムを含むと解釈すべきである。したがって、本発明は、この開示によって限定されることはなく、その権利範囲は、もっぱら請求の範囲によって決定されなければならない。
【図面の簡単な説明】
【図１】
図１は、本発明を使用するワイヤレス通信システムを示す。
【図２】
図２は、第１のクラスの解決策に適切な、図１のワイヤレス通信システムにおける基地局の一部のブロック図である。
【図３】
図３は、次元１２８のウォルシュマトリックスの左上コーナーを示す表である。
【図４】
図４は、図３のウォルシュマトリックスの行の累積合計を示す表である。
【図５】
図５は、すべてが２０の同時通話に基づく、別のパイロットチャネルの電力と比較して、挿入されたパイロットシンボルに対する２乗平均振幅を超える振幅の確率を示すグラフである。
【図６】
図６は、すべてが１２０の同時通話に基づく、別のパイロットチャネルの電力と比較して、挿入されたパイロットシンボルに対する２乗平均振幅を超える振幅の確率を示すグラフである。
【図７】
図７は、図１のワイヤレス通信システムにおける移動局のブロック図である。
【図８】
図８は、第２のクラスの解決策に適切な、第１の代替実施形態のもとでの図１のワイヤレス通信システムにおける基地局の一部のブロック図である。
【図９】
図９は、第２の代替実施形態の態様を表す概略波形図を示す。
【図１０】
図１０は、第３のクラスの解決策に適切な、第２の代替実施形態のものでの図１のワイヤレス通信システムにおける基地局の一部のブロック図である。
【図１１】
図１１は、第２の代替実施形態のもとでのパイロットシンボルを発生させるための方法の例示的なフロー図である。
【図１２】
図１２は、第４のクラスの解決策に適切な、第３の代替実施形態のもとでの図１のワイヤレス通信システムにおける基地局の一部のブロック図である。